(57)【要約】  【課題】複数のパソコン類をネットワーク化するにおいて、配線作業の手間の軽減を図る。  【手段】パソコンが使用される机１の多数台を並設して机群が構成されている。机群のうちの１つの机１（親机）における例えば幕板にスイッチングハブ14を着脱自在に取付けている。スイッチングハブ14と建物の通信用外部接続口45とは１本の通信用幹ケーブル28′で接続されている。各机１の例えば脚３に、避雷回路付きのコネクタユニット19を一体に設けており、スイッチングハブ14から分岐した通信用出力ケーブル43は、いったん各コネクタユニット19に接続され、これから通信用中間ケーブルを介してパソコンの本体に接続される。【選択図】      図８
2005137544.tif 000002
【特許請求の範囲】
【請求項１】
天板とその支持手段とを備えた机であって、その適宜部位に、ＬＡＮ用スイッチングハブのようなネットワークシステム用中継装置を直接に又は収納箱を介して取り付けできる支持手段が設けられている、
机。
【請求項２】
前記支持手段は、前記収納箱を床から浮いた状態に保持する受け部であって、この受け部は、机の内部に設けている一方、
前記収納箱のうち少なくとも下面には、前記中継装置に接続されたケーブル群を外側に引き出しできる開口部が形成されており、かつ、前記収納箱には、当該収納箱を前記受け部に引っ掛け又は吊支若しくはねじ止めする取付け部が設けられている、
請求項１に記載した机。
【請求項３】
パソコンを使用する複数の机によって机群が構成されており、机群のうち１台の机の内部に、スイッチングハブのようにパソコン群のネットワークを司る中継装置が配置されており、前記中継装置の通信用入力ポートは、１本の通信用幹ケーブルを介して通信用外部接続口に接続されており、前記中継装置から分岐した通信用枝ケーブルは各机で使用されるパソコンに接続されている、
机群の使用システム。
【請求項４】
前記複数の机のうち１つの机の内部に前記中継装置が配置されており、
前記１台の机を含む全ての机の適宜部位に、電源用又は通信用若しくは両方のためのコネクタユニットを一体的に設けており、このコネクタユニットには、避雷回路のように異常電流又は異常電磁波を吸収できる異常吸収回路が設けられている、
請求項３に記載した机群。
【請求項５】
ＬＡＮ用スイッチングハブやサーバのようにケーブルが接続される機器類を格納する収納箱であって、前面が前記機器類を出し入れできる大きさに開口している本体と、この本体の前面を塞ぐカバーとを備えており、
前記本体の上面は、前記機器類から生じた熱を放熱できる程度の大きさに開口しており、前記本体の下面には、少なくとも前記ケーブルを配線できる程度の大きさの開口部が形成されており、更に、本体には、当該本体の下面と床面との間に前記ケーブルを配線できる空間が空くように保持するための浮かし手段を設けている、
通信情報機器類用の収納箱。
【請求項６】
前記本体の浮かし手段は、机の内面に設けた受け部に着脱自在に引っ掛けられる取付け部であるか、又は、床に接地する足体である一方、
前記カバーには、当該カバーを取り外すことなく前記ケーブルの抜き差し作業を行える小窓が空いており、この小窓を着脱式又は開閉式の蓋板で塞いでいる、
請求項５に記載した通信情報機器類用の収納箱。
【発明の詳細な説明】
【技術分野】
【０００１】
本発明は、パソコンのようにネットワーク化される電子機器を使用するのに好適な机と机群、及び机群の使用システム、並びにこのシステムに使用される通信情報機器を格納するのに好適な収納箱に関するものである。
【背景技術】
【０００２】
近年のオフィスではパソコン（パーソナルコンピュータ）やＣＡＤ、或いはオンラインシステムの端末のような様々の電子機器（通信・計算・情報機器）が普及している。
【０００３】
そして、オンラインシステムの端末群は当然のことながらネットワーク化されているが、通常のパソコンでも、オフィス等で複数台を使用する場合は、例えばＬＡＮ（ローカル・エリア・ネットワーク）に代表されるように、相互間で情報を共有したりインターネット回線を共用したりするためネットワーク化されていることが殆どであると言える。
【０００４】
このようにパソコン群をネットワーク化する場合、一般に、スイッチングハブやルータ等の中継装置が使用されており、この中継装置に外部からの通信線（汎用又は専用の電話線）を接続し、中継装置に設けた多数の出力通信ポートと各パソコンの本体とをケーブルで接続している。
【０００５】
そして、外部からの通信線の接続口は建物の壁に設けていることが多いため、従来は、図１４に示すように、スイッチングハブ等の中継装置Ｓを壁際のうち通信用外部接続口Ｐの近傍部に設置して、この中継装置Ｓと各パソコンＰＣとを通信用枝ケーブルＣ１で接続していることが多い。
【０００６】
中継装置Ｓと各パソコンＰＣとを接続する通信用枝ケーブルＣ１の束は、細い樋部材に収納した状態で床に這わせたり、壁から天井を伝って各パソコンに配線したりしており、また、二重床（アクセスフロアー）の場合は床の中空部に這わせている。
【発明の開示】
【発明が解決しようとする課題】
【０００７】
有線方式のネットワークシステムでは、ルータやスイッチングハブ等の中継装置と各パソコンＰＣとを通信用ケーブルＣ１で接続することは必要不可欠であるが、従来のような配線態様では、多数本の通信用枝ケーブルを床に這わせると、たとえ保護用の樋部材を使用しても、当該樋部材は断面積の大きいものを使用しなければならないため、体裁が悪くなったり歩行や掃除の邪魔になるという問題があった。
【０００８】
また、机群の全体の位置をずらしたり机Ｄの台数を増減したりというように机群のレイアウトを変更する場合、或いは、机群のレイアウトはそのままでパソコンＰＣの数を増減する場合は、その都度、通信用枝ケーブルＣ１の配線状態を変更しなければならず、このため机のレイアウトを変更したりパソコンＰＣを増減したりするにおいて配線作業が頗る厄介であった。
【０００９】
他方、ケーブル群を二重床の内部に這わせている場合は、体裁の悪化等の問題は解消できるが、机群のレイアウトの変更やパソコンＰＣの増減に際しての配線作業の問題は解消できない（むしろ、床に這わせる場合よりも二重床に配線する方が配線作業は厄介であると言える）。
【００１０】
本発明は、このような現状を改善することを課題とするものである。
【課題を解決するための手段】
【００１１】
前記の課題を解決するため、請求項１の発明では、机に改良を加えた。すなわちこの請求項１の発明に係る机は、天板とその支持手段とを備えた机であって、その適宜部位に、ＬＡＮ用スイッチングハブのようなネットワークシステム用中継装置を直接に又は収納箱を介して取り付けできる支持手段が設けられている。
【００１２】
請求項２の発明は請求項１をより具体化したもので、この机において、前記支持手段は、前記収納箱を床から浮いた状態に保持する受け部であって、この受け部は、机の内部に設けている。一方、前記収納箱のうち少なくとも下面には、前記中継装置に接続されたケーブル群を外側に引き出しできる開口部が形成されており、かつ、前記収納箱には、当該収納箱を前記受け部に引っ掛け又は吊支若しくはねじ止めする取付け部が設けられている。
【００１３】
請求項３の発明では、机群の使用システムの面から前記課題を解決せんとするものである。すなわちこの発明では、パソコンを使用する複数の机によって机群が構成されており、机群のうち１台の机の内部に、スイッチングハブのようにパソコン群のネットワークを司る中継装置が配置されており、前記中継装置の通信用入力ポートは、１本の通信用幹ケーブルを介して通信用外部接続口に接続されており、前記中継装置から分岐した通信用枝ケーブルは各机で使用されるパソコンに接続されている。
【００１４】
請求項３の発明において、スイッチングハブ等の中継装置を設ける机は請求項１又は請求項２のような構成（すなわち、中継装置を取付けできる形態になっている構成）が好ましい。
【００１５】
請求項４の発明は請求項３の発明に好適な机群であり、この発明において、前記複数の机のうち１つの机の内部に前記中継装置が配置されており、前記１台の机を含む全ての机の適宜部位に、電源用又は通信用若しくは両方のためのコネクタユニットを一体的に設けており、このコネクタユニットには、避雷回路のように異常電流又は異常電磁波を吸収できる異常吸収回路が設けられている。
【００１６】
本願発明における机は、天板を左右の脚で支持したタイプや、天板を脚と袖キャビネットとで支持したタイプ、或いは、天板の全体又は一部を間仕切パネルで支持したタイプなど、様々のタイプのものを含む概念である。また、天板の平面視形状は一般的な長方形に限らず、Ｌ形等の各種の形状を含むものである。更に、１人で使用するものには限らず、複数人で使用するものも含まれる。
【００１７】
ところで、スイッチングハブやサーバはどこにでも置くことができるように箱体を備えている。そこで従来は、スイッチングハブやサーバを部屋の片隅に直接に置いていたものである。しかし、これではケーブルの差し込み口が露出しているため外部からの衝撃に弱く、また、ケーブルが乱雑になりがちであった。
【００１８】
本願発明は、このような現状を改善した収納箱も含むものであり、請求項５及び請求項６で特定している。この収納箱は請求項１〜４に記載した収納箱として好適なものである。
【００１９】
請求項５の発明は、ＬＡＮ用スイッチングハブやサーバのようにケーブルが接続される機器類を格納する収納箱であって、前面が前記機器類を出し入れできる大きさに開口している本体と、この本体の前面を塞ぐカバーとを備えている。
【００２０】
そして、前記本体の上面は、前記機器類から生じた熱を放熱できる程度の大きさに開口しており、前記本体の下面には、少なくとも前記ケーブルを配線できる程度の大きさの開口部が形成されており、更に、本体には、当該本体の下面と床面との間に前記ケーブルを配線できる空間が空くように保持するための浮かし手段を設けている。
【００２１】
請求項６の発明は、請求項５において、前記本体の浮かし手段は、机の内面に設けた受け部に着脱自在に引っ掛けられる取付け部であるか、又は、床に接地する足体である一方、前記カバーには、当該カバーを取り外すことなく前記ケーブルの抜き差し作業を行える小窓が空いており、この小窓を着脱式又は開閉式の蓋板で塞いでいる。
【発明の効果】
【００２２】
≪請求項１の効果≫
複数の机を並設して各机で使用する複数台のパソコン類をネットワーク化する場合は、少なくとも１つの机を請求項１の構成として、この机に支持手段を介してスイッチングハブ等の中継装置を取付け、この中継装置の通信用出力ポートと各パソコン類とを通信用枝ケーブルで接続する一方、中継装置の通信用入力ポートには、建物の壁等に設けた通信用外部接続口から１本の通信用入力ケーブル（以下、「通信用幹ケーブル」という）を接続すれば良い。
【００２３】
すなわち、机群の外側に延びる通信用ケーブルは、１本の通信用幹ケーブルだけで良い。従って、仮に、通信用幹ケーブルを床に這わせる場合は、配線を簡単に行えると共に、体裁の悪化や歩行の邪魔になるという問題を防止又は抑制できるのであり、また、床が二重床である場合も、二重床の内部には１本の通信用幹ケーブルを這わせるだけで良いため、この場合も配線作業の手間を著しく軽減することができる。
【００２４】
また、机群を全体として移動させる場合は、通信用幹ケーブルの位置等を変えるだけで良く、通信用枝ケーブルの配線状態を変更する必要はないため、机群の設置場所の変更に際しての配線作業の手間を著しく軽減できる。
【００２５】
更に、机を増減したりパソコン類を増減したりする場合は、通信用幹ケーブルはそのままで通信用枝ケーブルだけを増減すれば良いが、この通信用枝ケーブルの増減は床上で行うものであるため、作業はしごく簡単に行える。
【００２６】
このように、請求項１の机を使用することにより、パソコン類のネットワークシステムを構築するにおいて、構築当初における配線作業の手間や、その後の机のレイアウトの変更に伴う配線作業の手間、或いは机又はパソコン類の増減に伴う配線作業の手間を著しく軽減することができる。
【００２７】
≪請求項２の効果≫
請求項２のように構成すると、スイッチングハブ等の中継装置を収納箱で保護することができるため、例えば使用者が足を伸ばしてもサーバに直接に衝撃が掛かることはなく、安全性を確保できる利点がある。
【００２８】
また、請求項２の構成のうち、箱体を引っ掛けや吊懸けすると、中継装置の取付け作業を簡単に行える。この場合、実施形態のように、机の受け部を水平方向に長く延びる状態に形成すると、収納箱を人や他の物の邪魔にならない場所に移動させることができて安全性をより一層向上できるため、特に好適である。
【００２９】
≪請求項３の効果≫
請求項３の発明は請求項１と同じ効果を奏する。この請求項３においては、スイッチングハブ等の中継装置は、請求項１や請求項２のような構成を採用して机の内部（天板の下方の空間部分）に取付けるのが好ましいといえる。もちろん、中継装置は直接に又は収納箱を介して床面に載置することも可能である。
【００３０】
≪請求項４の効果≫
ところで、パソコン類には電源用ケーブルが必要であり、また、ネットワーク化されている場合は当然に通信用ケーブルを接続する必要があるが、例えば雷のために過電流やノイズ（異常電磁波）がケーブルに流れることがあり、過電流やノイズがそのままパソコンの回路に伝わるとハード又はソフトを損傷することがある。
【００３１】
この雷対策として、避雷機能を備えたテーブルタップが市販されている。しかし、この避雷機能付きテーブルタップは延長コードの一種に過ぎず、例えば床上に散乱したような状態で置いているに過ぎないため、邪魔になったりホコリが溜まる原因になったりするという問題があった。
【００３２】
これに対して請求項４のように構成すると、避雷機能のような異常吸収機能を備えたコネクタユニットを机に一体的に設けているため、雷等の影響を回避してパソコン等に障害が発生することを防止又は著しく抑制できるものでありながら、コネクタが床や机上に散乱することを防止してすっきりした状態に配線することができる。
【００３３】
≪請求項５の効果≫
請求項５のように構成した収納箱を使用すると、スイッチングハブやサーバ等の通信情報機器類が保護されるため、安全性を向上できる。また、収納箱の機器類で発生した熱は収納箱の上面の開口部から放熱されるため機器類に熱による障害が発生する虞はなく、また、機器類の上面に表示ランプ類やスイッチ等を設けていると、機器類を取り外さなくてもそれら表示ランプやスイッチ等を視認又は操作することが可能となるため、至極便利である。
【００３４】
更に、ケーブルは収納箱の下方に引き出すことができるため、ケーブルが外部に露出することを抑制して、美麗かつ邪魔にならない状態に配線することができるという優れた利点もある。
【００３５】
≪請求項６の効果≫
スイッチングハブのような中継装置では、パソコンの増減やシステムの変更等に応じてたびたび通信出力ケーブルを増減したり接続位置を替えたりすることがある。この通信出力ケーブルの抜き差しはごく簡単な作業であるが、いちいちカバーを取り外さなければならないと面倒である。
【００３６】
この点、請求項６のように構成すると、一々カバーを取り外さなくてもケーブルの抜き差し作業を行えるため、ケーブルの増減や接続位置の変更作業をごく簡単に行える利点がある。
【発明を実施するための最良の形態】
【００３７】
次に、本発明の実施形態を図面に基づいて説明する。
【００３８】
(1).第１実施形態（図１〜図９）
図１〜図９では第１実施形態を示している。このうち図１〜図７では机の単体の構造を示している。
【００３９】
図１（Ａ）は机の全体の斜視図、図１（Ｂ）は天板を取り外した状態での斜視図、図２は分離斜視図であり、まず、これらの図に基づいて机の概要を説明する。なお、本明細書及び図面では、ケーブルの種類を特に峻別する必要がない場合は「Ｃ」の符号で総称し、また、パソコンを全体として表示する場合は「ＰＣ」の符号を使用する。
【００４０】
≪概要≫
机１は、平面視長方形の天板２と、左右一対の脚３と、左右脚３の背面に固定した幕板４とを備えている。天板２と脚３と幕板４は、それぞれ全部又は大部分がスチール製（金属板製）である。
【００４１】
天板２の後端と幕板４の上端部との間には配線用空間５が空いている。図１（Ａ）に一点鎖線で示すように、天板２の下方の空間には移動式のワゴン（袖キャビネット）６を配置できる。
【００４２】
天板２の上面には電子機器の一例としてのパソコンのディスプレイ７やキーボード８及びマウス９を載せており、また、天板２の下方の床面のうち左脚３に近接した部分にパソコンの本体１０を設置している（本体１０は右脚３の側に寄せて設置しても良いし、机上に設置しても良い）。
【００４３】
幕板４の前面には、請求項に記載した支持手段及び受け部の一例として、左右方向に延びる上下２段のブラケット１２を一体に設けている。このブラケット１２には、収納箱（格納箱）１３を着脱自在でかつ左右移動自在に引っ掛ける（係止する）ことができる。
【００４４】
収納箱１３の内部には、ネットワークシステムの中継又は統括機能を司るスイッチングハブ１４（或いはその類似機器）を格納できる。収納箱１３は本体１３ａとカバー１５とを備えており、本体１３ａの前面はスイッチングハブ１４を出し入れできるように大きく開口しており、この開口面は着脱自在なカバー１５で塞がれている。図示していないが、カバー１５はビスで本体１３ａに固定される。
【００４５】
本体１３ａの上面はその大部分が開口している。このように本体１３ａの上面の大部分が開口している主たる理由は、スイッチングハブ１４で発生した熱を放散させるためであるが、スイッチングハブ１４の上面に表示ランプやスイッチ類を設けていると、ランプ類の視認やスイッチ類の操作が可能になる。なお、上面の開口面積は必要に応じて任意の形状・面積に設定できる。
【００４６】
本体１３ａの内部には、スイッチングハブ１４を横ずれ不能に受ける正面視上向き開口コ字状の受けフレーム１６が固定されており、この受けフレーム１６及び側板には放熱用の多数の穴が空いている。本体１３ａの下面には、電源用及び通信用ケーブルを挿通するための開口部１７が切り開き形成されている。
【００４７】
机における左右の脚３は、中空で板状の基部３ａと、この基部３ａの下端部から前向きに延びる下アーム３ｂと、基部３ａの上端部から前向きに延びる上アーム３ｃとで側面視前向き開口コ字状に形成されている。そして、左右脚３における基部３ａの前面板に前向き開口の窓穴１８を形成し、一方の脚（左脚）３の内部には窓穴１８を介してコネクタユニット１９を嵌め込み装着し、他方の脚（右脚）３の窓穴１８はカバー２１で塞いでいる。
【００４８】
左右の脚３に窓穴１８を空けているのは、何れか一方又は両方の脚３にコネクタユニット１９を内蔵できるようにするためである。勿論、いずれか一方の脚３だけにコネクタユニット１９を内蔵することも可能である。
【００４９】
≪コネクタユニット≫
次に、図３〜図５も参照してコネクタユニット１９の詳細を説明する。図３はコネクタユニット１９を設けている脚３の部分斜視図、図４は机１の平断面図、図５は図３の V-V視断面図であり、（Ａ）は上部を示す図、（Ｂ）は下部を示す図である。
【００５０】
コネクタユニット１９は、脚３の基部３ａに入り込む直方体状のケース２２を備えている。ケース２２は例えば鋼板のような金属板製であり、その内部に、電源用コンセント部２３と通信用コネクタ２４、及び、これらに対する雷の影響を吸収するための避雷回路部２５，２６とを設けている。電源用避雷回路部２５と通信用避雷回路部２６とには、それぞれ外部入力線２７，２８が接続されている。
【００５１】
電源用コンセント部２３には、プラグ２９を抜き差しできる４つのプラグ挿入口２３ａが空いており、通信用コネクタ部２４には２つのプラグ挿入口２４ａが空いている。言うまでもないが、プラグ挿入口２３ａ，２４ａの口数は任意に設定できる。
【００５２】
コネクタユニット１９は、ケース２２に固定された合成樹脂製（金属製でも良い）のフロントパネル３０を備えており、フロントパネル３０の上下両端部を、脚３の内部に形成した受け片３１にねじ３２で固定している。電源用コンセント部２３や通信用コネクタ部２４はフロントパネル３０に裏側から嵌め込まれている。
【００５３】
フロントパネル３０の上部には、２個の警報ランプ３３と１個ずつの警報ブザー３４及び消音ボタン３５とが露出している。いずれか一方の警報ランプ３３が点灯すると警報ブザー３４も鳴動する。また、消音ボタン３５を押すと警報ブザー３４の鳴動は停止する。なお、コネクタユニット１９の具体的な構造は条件に応じて自由に設計することができる。
【００５４】
図５（Ｂ）に示すように、脚３の背面板３６又は下面板３７のうちいずれか一方又は両方に、ケーブル挿通穴３８を形成している。ケーブル挿通穴３８は、電源用外部入力ケーブル２７に接続したプラグを抜き差しできる程度の大きさであるのが好ましい。ケーブル挿通穴３８は脚３の側板に空けても良い。
【００５５】
≪収納箱及びスイッチングハブ≫
次に、図４と図６とに基づいて収納箱１３及びスイッチングハブ１４について説明する。図６は図３のVI−VI視断面図である。
【００５６】
既述のとおり、幕板４の前面には２段のブラケット１２を一体に設けている。ブラケット１２は上向き鉤状に形成されている一方、収納箱１３における本体１３ａの背面には、請求項に記載した取付け部の一例として、ブラケット１２に上方から嵌まる下向き鉤状のフック４０を設けている。
【００５７】
従って、収納箱１３は、これを持ち上げることより、幕板４に簡単に取付け（引っ掛け）たり取り外したりすることができる。収納箱１３と床面との間には、ケーブル類Ｃを曲げて引き出すことができる程度の空間が空いている。
【００５８】
スイッチングハブ１４は、多数の接続穴を有する信号出力ポートユニット４１を備えている。この場合、本実施形態では、受けフレーム１６の下部に中間ブラケット４２を設け、この中間ブラケット４２に、信号出力ポートユニット４１をその接続穴が下向きとなる姿勢で取付けている。
【００５９】
従って、通信用枝ケーブル４３のプラグは信号出力ポートユニット４１の接続穴に下方から差し込まれている。言うまでもないが、通信用出力ポートユニット４１は収納箱１３における本体１３ａの開口部１７の箇所に位置している。
【００６０】
通信用出力ポートユニット４１を下向きの姿勢にしているのは、収納箱１３をなるべく薄くして人の足が収納箱１３に当たることを防止又は抑制するため、及び、通信用枝ケーブル４３に人の足が触れることを防止するためである。
【００６１】
中間ブラケット４２は上向きに起きるように起倒自在に取付けても良い（このようにすると、プラグの抜き差しが容易になる利点がある）。言うまでもないが、通信用出力ポートユニット４１はスイッチングハブ１４の下部に直接に設けても良い。
【００６２】
なお、図６に一点鎖線で示すように、配線用空間６は着脱自在なカバー４４で塞ぐことができる。配線用空間６の箇所に配線用受け樋を配置しても良い。
【００６３】
図７に変形設置例として示すように、収納箱１３を袖キャビネット６の後方に配置することも可能である。このように設置すると、使用者が足を伸ばしても収納箱１３に当たることはないため、スイッチングハブ１４を衝撃から確実に保護できる利点がある。
【００６４】
≪使用例≫
次に、図８及び図９に基づいて使用例を説明する。まず、図８に基づいて概略を説明する。
【００６５】
図８は机１の群の設置態様を示す平面図であり、この例では、既述した机１の複数個を並列状及び背中合わせ状に配置している。図では表示していないが、各机１で１台ずつのパソコンが使用される。なお、図８では通信線の接続態様だけを示しており、電源線の接続態様は示していない。
【００６６】
建物の壁面に、建物外から引き込まれた商用通信ケーブルに接続される通信用外部接続口４５を設けている。そして、多数の机１のうち、例えば壁際に位置した１つの机１（これを便宜的に「親机」と呼び、他の机は便宜的に「子机」と呼ぶ）のコネクタユニット１９と前記通信用外部接続口４５とは、１本の通信用幹ケーブル２８′で接続されている。
【００６７】
そして、親机１だけに収納箱１３を介してスイッチングハブ１４を取付け、この親机１のコネクタユニット１９とスイッチングハブ１４とを通信用中間ケーブルで接続し、更に、親机１及び子机の各パソコンＰＣとスイッチングハブ１４とを通信用枝ケーブル４３で接続している。
【００６８】
次に、図９に基づいて親机１における配線態様の詳細を説明する。親机１においては、コネクタユニット１９の電源用外部入力ケーブル２７は、建物に設けた電源用外部接続口（コンセント）５２に接続されている。
【００６９】
他方、パソコンの本体１０とディスプレイ７との電源ケーブル４６，４７は、コネクタユニット１９の電源用コンセント部２３に接続されている。スイッチングハブ１４の電源用ケーブル４８も、コネクタユニット１９の電源用コンセント部２３に接続されている。
【００７０】
スイッチングハブ１４の通信用入力ケーブル４９は、コネクタユニット１９の通信用コネクタ部２４に接続される。そして、スイッチングハブ１４の各通信用出力ポートユニット４１と本体１０の通信用入力ポート５０とが通信用枝ケーブル４３で接続され、本体１０の通信用出力ケーブル５１はディスプレイ７に接続されている。
【００７１】
各子机１では、スイッチングハブ１４の通信用枝ケーブル４３がコネクタユニット１９の通信用避雷回路部２６に接続されており、通信信号は、親机１と同様に、コネクタユニット１９の通信用コネクタ部２４を経由して本体１０に入力され、それからディスプレイ７に送信される。
【００７２】
親机１においては、コネクタユニット１９の通信用入力ケーブル２８はスイッチングハブ１４に接続されている通信用幹ケーブル２８′に該当し、各子机１においては、コネクタユニット１９の通信用入力ケーブル２８はスイッチングハブ１４から分岐した通信用枝ケーブル４３に該当する。
【００７３】
各子机１では、コネクタユニット１９の電源用外部入力ケーブル２７は電源用外部接続口５２に直接に又は中間ケーブルを介して接続されており、パソコンの本体１０やディスプレイ７の電源ケーブル４６，４７は、コネクタユニット１９に接続されている。
【００７４】
通信用枝ケーブル４３や電源用外部入力ケーブル２７は、各机１の配線用空間５に配置するなどして、邪魔にならない状態に配線することができる。
【００７５】
≪まとめ≫
図８から容易に理解できるように、スイッチングハブ１４を机群の内部に設けたことにより、机群と通信用外部接続口４５とは１本の通信用幹ケーブル２８′で足りるため、仮にケーブルを床に這わせる場合でも、体裁が悪くなったり歩行の邪魔になったりすること抑制できる。
【００７６】
また、新規にネットワークを組む場合でも、机のレイアウトを変更したりする場合でも、従来に比べて配線作業の手間を格段に軽減することができる。
【００７７】
本実施形態のように、避雷機能を備えたコネクタユニット１９を通信用１に一体に設けると、スイッチングハブ１４やパソコンＰＣが雷による悪影響を受けることを防止又は著しく抑制できる利点がある。
【００７８】
特に、各机１のコネクタユニット１９に通信用枝ケーブル４３をいったん接続すると、通信用枝ケーブル４３に大気から伝わるノイズもカットできて好適である。
【００７９】
すなわち、スイッチングハブ１４から各パソコンＰＣに通信用枝ケーブル４３を直接に接続することも可能であるが、この場合は、大気を伝播したノイズ（電磁波）が通信用枝ケーブル４３に流れ込むことがあるため、通信用幹ケーブル２８′を避雷していても、各パソコンＰＣへのノイズの進入を的確にカットできないことがあるが、本実施形態のように、通信用枝ケーブル４３と本体１０との間に避雷機能付きのコネクタユニット１９を介在させると、大気を通じて通信用枝ケーブル４３に直接に伝わるノイズをカットできるため、パソコンＰＣへの悪影響を防止できるのである。
【００８０】
コネクタユニット１９と脚等の外表面に配置することも可能であるが、金属板製の脚３や天板等の中空部に設けると、電磁波をより的確にカットできて好適である。
【００８１】
(2).第２実施形態（図10）
図１０に示すのは第２実施形態であり、このうち（Ａ）は概略平面図、（Ｂ）は（A ）のＢ−Ｂ視部分正面図である。
【００８２】
この実施形態では、平面視で直線状に連結した多数のバック間仕切パネル５４と、これに平面視で直交する姿勢に連結した多数のサイド間仕切パネル５５とで間仕切装置を構成し、隣合ったサイド間仕切パネル５５で囲われて部位に天板２を配置したものである。
【００８３】
つまり、間仕切装置を利用したブース式机１′の連続体になっており、各天板２は、図示しないブラケットを介して間仕切パネル５４，５５で支持されている。そして、いずれかのブース式机１′において、例えばバック間仕切パネル５４に収納箱１３を取付けて、収納箱１３の内部にスイッチングハブ１４を格納している。ケーブル類は間仕切装置に形成している配線空間に這わせたら良い。
【００８４】
(3).第３実施形態（図11〜図12）
図１１及び図１２では第３実施形態を示している。図１１のうち（Ａ）は収納箱１３の斜視図、（Ｂ）は変形例の要部斜視図、図１２は使用状態の側断面図で図１１（Ａ）のXII-XII 線の箇所で切断したものである。
【００８５】
この実施形態では、信号出力ポートユニット４１の接続穴は横向きに開口している。従って、プラグは手前側から抜き差しされる。また、カバー１５のうち正面視で信号出力ポートユニット４１と重なり合う部分には、下向きに開口した小窓５７が形成されている。
【００８６】
小窓５７は着脱自在（取付け・取り外し自在）な蓋板５８で塞がれている。小窓５７の内周縁には蓋板５８が重なる受け片６０が折曲げ形成されており、蓋板５８はビス５９で受け片６０に固定される。もちろん、他の保持手段を採用してもよい。このように小窓５７を設けているため、一々カバー１５を取り外さなくとも通信用枝ケーブル４３の抜き差し作業を簡単に行える。
【００８７】
図１２に一点鎖線で示すように、信号出力ポートユニット４１を中間ブラケット４２等に着脱自在に取付けることも可能である。このように構成すると、信号出力ポートユニット４１を取り外してケーブル４３の挿脱作業を一層簡単に行える。信号出力ポートユニット４１を着脱式とする場合、ねじ止めを利用しても良いし、係合爪と係合穴との組合せからなるスナップ係合方式を利用するなどしてもよい。
【００８８】
言うまでもないが、小窓５７の開口面積は、ケーブル４３の挿脱作業を支障無く行える大きさである。図１１（Ｂ）に変形例として示すように、小窓５７は切り開かれていないクローズ方式に形成することも可能である。この形態ではカバー１５の強度低下を防止できる利点がある。
【００８９】
本実施形態では、スイッチングハブ１４の上面に、表示ランプ６２を露出させた表示ユニット６１を設けている。表示ランプの種類としては、電源ランプ、作動状態表示ランプ、異状事態表示ランプなど、様々のものが挙げられる。表示ユニット６１に（又は別のユニット）にスイッチ類やボタン類を設けることも可能である。
【００９０】
収納箱１３における本体１３ａの上面は表示ユニット６１が露出するように開口している。このため、天板２の後方に開口している配線空間６３から表示ユニット６１を簡単に視認することができる。従って、スイッチングハブ１４の動作状態の確認や異状状態の把握などを、一々机の内部に身体を屈み込ませることなく簡単に行える。スイッチングハブ１４の上面にスイッチやボタン類を設けている場合は、その操作も簡単に行える。
【００９１】
表示ユニット６１（或いはスイッチユニット）は、天板２に邪魔されることなく配線空間６３から容易に視認できるように、スイッチングハブ１４の上面のうちその後部にずらして設けるのが好ましいと言える。言うまでもないが、収納箱１３にはサーバ等の他の通信情報機器類を格納することも可能である。
【００９２】
(4).第４実施形態（図13）
図１３では第４実施形態を示している。（Ａ）は側断面図、（Ｂ）は（Ａ）のＢ−Ｂ視断面図である。
【００９３】
この実施形態では、請求項に記載した浮かし手段の一例として、収納箱１３の本体１３ａにアジャスター機能付き足体６４を設けている。このため、床上のどこでも設置で、かつ、ケーブル４３は本体１３ａの下方に引き出して美麗に処理することができる。足体６４に代えてキャスターを設けることも可能である。
【００９４】
また、この実施形態では、縦長受けフレーム１６ａに適宜ピッチで一対ずつの係合穴６５を多数形成する一方、横長受けフレーム１６ｂに、前記係合穴６５に落とし込み嵌合する係合爪６６を形成して、横長受けフレーム１６ｂを縦長受けフレーム１６ａで高さ調節自在に支持している。このため、スイッチングハブ１４等の機器の高さがまちまちであっても、所望の高さ位置に配置することができる。符号６７は補強部材である。
【００９５】
(5).その他
本発明は上記の実施形態の他にも様々に具体化することができる。例えば、袖キャビネットで天板の一側部又は両側部を支持している机の場合、袖キャビネットの後部にスイッチングハブ等の中継装置を取付けることも可能である。
【００９６】
スイッチングハブ等の中継装置は、ブラケットを介して天板から吊り下げたり、脚の内側面に設けたブラケットに載せたりしても良い。また、中継装置の支持手段としては、例えば幕板に側面視上向き鉤状のフックを設ける一方、中継装置を構成するケース（外箱）の背面に係合穴を空けて、この係合穴をフックに落し込むなどしても良い。もちろん、中継装置をねじで幕板や脚に固定するなどしても良い。
【００９７】
敢えて述べるまでもないが、中継装置としてサーバを使用することも可能である。また、机がきわめて多数ある場合、机群を複数のグループに分けて、各グループごとに１台ずつ中継装置を設けても良い。
【図面の簡単な説明】
【００９８】
【図１】第１実施形態の机を示す図で、 (A)は全体の斜視図、 (B)は天板を取り外した状態での斜視図である。
【図２】分離斜視図である。
【図３】コネクタユニットを設けている脚の部分斜視図である。
【図４】机の平断面図である。
【図５】図３の V-V視断面図である。
【図６】図３のVI−VI視断面図である。
【図７】スイッチングハブの配置場所の別例を示す図である。
【図８】机群全体としての配線状態の概略を示す図である。
【図９】親机での配線状態を示す図である。
【図１０】第２実施形態を示す図である。
【図１１】第３実施形態を示す図である。
【図１２】第３実施形態の使用状態の断面図で、図１１（Ａ）のXII-XII 視方向から見たものである。
【図１３】第４実施形態を示す図である。
【図１４】従来例を示す図である。
【符号の説明】
【００９９】
１  机
２  天板
３  脚
４  幕板
１０  パソコンの本体
１２  支持手段及び受け部の一例としてのブラケット
１３  収納箱
１３ａ  収納箱の本体
１４  通信情報機器類の一例としてのスイッチングハブ
１５  収納箱のカバー
１９  コネクタユニット
２８′  通信用幹ケーブル
４０  取付け部の一例としてのフック
４３  通信用枝ケーブル
【図１】
2005137544.tif 000003
【図２】
2005137544.tif 000004
【図３】
2005137544.tif 000005
【図４】
2005137544.tif 000006
【図５】
2005137544.tif 000007
【図６】
2005137544.tif 000008
【図７】
2005137544.tif 000009
【図８】
2005137544.tif 000010
【図９】
2005137544.tif 000011
【図１０】
2005137544.tif 000012
【図１１】
2005137544.tif 000013
【図１２】
2005137544.tif 000014
【図１３】
2005137544.tif 000015
【図１４】
2005137544.tif 000016